(57)【要約】【課題】複数のＰＣからの複数の画像信号を画像表示装置に入力して、解像度変換手段を増加させること無く、複数画面表示を提供できるようにする。【解決手段】第１のＰＣ１が電源投入時から最終的な表示画素数に到達するまでの表示部１０の実解像度に一致しない期間において、解像度変換回路７を第１のＰＣ１の画像信号に適応させる。そして、表示部１０において表示し、第１のＰＣ１が予め設定された表示部１０の実解像度に到達した場合において、解像度変換回路７を、第２のＰＣ２の画像信号に適応させ、解像度変換回路を増加させることなく、第１のＰＣ１の画像を表示部１０に実解像度で表示させつつ、第２のＰＣ２の画像をワイプ表示させたり、ピクチャーオンピクチャー表示させたりして、第２のＰＣ２の画像サイズを変更できる。【選択図】図１
2008205641.tif 000002
【特許請求の範囲】
【請求項１】
画像信号を入力して画像表示する画像表示装置であって、
解像度またはフレームレートを変換する解像度変換手段と、
第１の情報処理装置と接続された第１の画像入力手段と第２の情報処理装置と接続された第２の画像入力手段とから入力される画像信号を切換えて出力する第１の切換え手段と、
前記解像度変換手段からの画像信号または前記解像度変換手段を経由しない画像信号を入力して切り換えて出力する第２の切換え手段と、
前記第２の切換え手段を経由して前記解像度変換手段から出力された画像信号と、前記解像度変換手段を経由しない画像信号とを合成する画像合成手段と、
前記合成された画像信号を表示する画像表示手段と、
前記第１の情報処理装置から出力された画像信号が前記画像表示手段の解像度及びフレームレートに一致しない場合においては、前記第１の情報処理装置から出力された画像信号に対して前記解像度変換手段を適応させ、前記画像表示手段において画像表示し、前記第１の情報処理装置から出力された画像信号が前記画像表示手段の解像度及びフレームレートに一致する場合においては、前記第２の情報処理装置から出力された画像信号に対して前記解像度変換手段を適応させ、前記第１の情報処理装置から出力された画像信号の画像と前記第２の情報処理装置から出力された画像信号の画像とを選択的に前記画像表示手段において画像表示するように制御する制御手段とを有することを特徴とする画像表示装置。
【請求項２】
画像信号を入力して画像表示する画像表示装置であって、
解像度またはフレームレートを変換する解像度変換手段と、
第１の情報処理装置と接続された第１の画像入力手段と第２の情報処理装置と接続された第２の画像入力手段とから入力される画像信号を切換えて出力する第１の切換え手段と、
前記解像度変換手段からの画像信号または前記解像度変換手段を経由しない画像信号を入力して切り換えて出力する第２の切換え手段と、
前記第２の切換え手段を経由して前記解像度変換手段から出力された画像信号と、前記解像度変換手段を経由しない画像信号とを合成する画像合成手段と、
前記合成された画像信号を表示する画像表示手段と、
前記第１の情報処理装置から出力された画像信号が前記画像表示手段の解像度及びフレームレートに一致しない場合においては、前記第１の情報処理装置から出力された画像信号に対して前記解像度変換手段を適応させ、前記画像表示手段において画像表示し、前記第１の情報処理装置から出力された画像信号が前記画像表示手段の解像度及びフレームレートに一致する場合においては、前記第２の情報処理装置から出力された画像信号に対して前記解像度変換手段を適応させ、前記画像表示手段における画面内の表示領域を分割して画像表示するように制御する制御手段とを有することを特徴とする画像表示装置。
【請求項３】
画像信号を入力して画像表示する画像表示装置であって、
解像度またはフレームレートを変換する解像度変換手段と、
第１の情報処理装置と接続された第１の画像入力手段と第２の情報処理装置と接続された第２の画像入力手段とから入力される画像信号を切換えて出力する第１の切換え手段と、
前記解像度変換手段からの画像信号または前記解像度変換手段を経由しない画像信号を入力して切り換えて出力する第２の切換え手段と、
前記第２の切換え手段を経由して前記解像度変換手段から出力された画像信号と、前記解像度変換手段を経由しない画像信号とを合成する画像合成手段と、
表示パネルと前記表示パネルを駆動する水平シフトレジスタ手段、及び垂直シフトレジスタ手段と、前記水平シフトレジスタ手段、及び垂直シフトレジスタ手段にタイミングパルスを供給するタイミング発生回路と画像処理回路とを備えるとともに、前記合成された画像信号を表示する画像表示手段と、
前記第１の情報処理装置から出力された画像信号の解像度が前記表示パネルの解像度と同じまたは小さいときは、前記第１の情報処理装置から出力された画像信号の画像を前記解像度変換手段を介さずに前記画像表示手段において画像表示し、前記第２の情報処理装置から出力された画像信号について前記第１の情報処理装置の同期するタイミングで解像度及びフレームレートを前記解像度変換手段により変換して、前記第１の情報処理装置から出力された画像信号の画像と前記第２の情報処理装置から出力された画像信号の画像とを選択的に前記画像表示手段において画像表示するように制御する制御手段とを有することを特徴とする画像表示装置。
【請求項４】
画像信号を入力して画像表示する画像表示装置であって、
解像度またはフレームレートを変換する解像度変換手段と、
第１の情報処理装置と接続された第１の画像入力手段と第２の情報処理装置と接続された第２の画像入力手段から入力される画像信号を切換えて出力する第１の切換え手段と、
前記解像度変換手段からの画像信号または前記解像度変換手段を経由しない画像信号を入力して切り換えて出力する第２の切換え手段と、
前記第２の切換え手段を経由して前記解像度変換手段から出力された画像信号と、前記解像度変換手段を経由しない画像信号とを合成する画像合成手段と、
表示パネルと前記表示パネルを駆動する水平シフトレジスタ手段、及び垂直シフトレジスタ手段と、前記水平シフトレジスタ手段、及び垂直シフトレジスタ手段にタイミングパルスを供給するタイミング発生回路と画像処理回路とを備えるとともに、前記合成された画像信号を表示する画像表示手段と、
前記第１の情報処理装置から出力された画像信号の解像度が前記表示パネルの解像度と同じまたは小さいときは、前記第１の情報処理装置から出力された画像信号の画像を前記解像度変換手段を介さずに前記画像表示手段において画像表示し、前記第２の情報処理装置から出力された画像信号について前記第１の情報処理装置の同期するタイミングで解像度及びフレームレートを前記解像度変換手段により変換して、前記画像表示手段における画面内の表示領域を分割して画像表示するように制御する制御手段とを有することを特徴とする画像表示装置。
【発明の詳細な説明】
【技術分野】
【０００１】
本発明は画像表示装置に関し、特に、複数の情報処理装置からの画像信号を共通の解像度及びフレームレート変換部を、適宜切換えて、複数の画像を効率良く表示するために用いて好適な技術に関する。
【背景技術】
【０００２】
通常のＰＣの表示画面モードは、例えば表示ドットに関して（水平画素数×走査線数）で表せば、６４０×３５０、６４０×４００、７２０×４００、６４０×４８０、８００×６００、１０２４×７６８、１２８０×１０２４などの表示モードがある。さらに伝送されるフレームレート（リフレッシュレート）も３０フレーム／秒、６０フレーム／秒、７５フレーム／秒、８５フレーム／秒など必ずしも一律ではない。このような画像表示モードを固有に持つ複数のＰＣから送信されるそれぞれの画像信号を、共通の表示装置に入力して、共通の画面上に複数画面で表示する場合、解像度変換及びフレームレート変換手段をそれぞれの入力信号に対応した数だけ必要としていた。
【０００３】
図１１において、１１０１は第１のＰＣ（マスターＰＣ）であり、１１０２は第２のＰＣ（ゲストＰＣ）である。１１０４は第１の画像信号入力端子であり、１１０５は第２の画像信号入力端子である。１１０７は解像度変換及びフレームレート変換を行う第１の解像度変換回路であり、１１７１は第２の解像度変換回路である。１１０９は画像合成部であり、１１１０は表示部である。１１１１は第１の解像度判定回路であり、１１１２は第２の解像度判定回路である。また、１１１３はマイクロコンピュータ（ＵＣＯＭ）である。
【０００４】
第１のＰＣ１１０１からの画像信号は第１の画像信号入力端子１１０４を介して第１の解像度変換回路１１０７に供給される。また、同時に第１の解像度判定回路１１１１に画像信号の同期信号が供給される。そして、第１の解像度判定回路１１１１にて、第１のＰＣ１１０１からの画像信号の解像度を垂直同期信号及び水平同期信号の周波数及び位相の測定を行い、測定データをマイクロコンピュータ１１１３に供給する。マイクロコンピュータ１３において、前記第１のＰＣ１１０１からの画像信号を最適に変換するための制御信号を、プログラミングに沿って第１の解像度変換回路１１０７に供給制御する。
【０００５】
同様に、第２のＰＣ１１０２からの画像信号は、第２の画像信号入力端子１１０５を介して、第２の解像度変換回路１１７１に供給する。また、同時に第２のＰＣ１１０２からの画像信号の同期信号が第２の解像度判定回路１１１２に供給される。そして、第２のＰＣ１１０２からの画像信号の解像度を垂直同期信号及び水平同期信号の周波数及び位相の測定を行い、測定データをマイクロコンピュータ１３に供給する。マイクロコンピュータ１３において、前記第２のＰＣ１１０２からの画像信号を最適に変換するための制御信号を第２の解像度変換回路１１７１に供給制御する。
【０００６】
ここで、例えば第１のＰＣ１１０１から出力される画像信号がＳＸＧＡモードで、第２のＰＣ１１０２から出力される画像信号がＳＶＧＡであった場合、第１の解像度変換回路１１０７はＳＸＧＡをＸＧＡに変換する。そして、第２の解像度変換回路１１７１はＳＶＧＡをＸＧＡに変換する。ここで、第１の解像度変換回路１１０７及び第２の解像度変換回路１１７１は、フレームのレートに関しても変換する。そして、画像合成部９には、同一フレームレートで且つ表示解像度をＸＧＡに統一した２つのＰＣ画像が入力され、マイクロコンピュータ１３において制御されて２つの画面が共存して表示部１０に表示される。
【発明の開示】
【発明が解決しようとする課題】
【０００７】
しかし、現在はＰＣ及び画像表示装置の取り扱い解像度の高解像度化がなされている。前述したように、複数のＰＣからの画像信号に対して、複数の解像度変換手段をそれぞれ備えて適応させようとした場合、解像度変換手段の占める規模やそれに伴う装置コストが高額となる問題がある。
【０００８】
本発明は前述の問題点に鑑み、複数のＰＣからの複数の画像信号を画像表示装置に入力して、解像度変換手段を増加させること無く、複数画面表示を提供できるようにすることを目的としている。
【課題を解決するための手段】
【０００９】
本発明の画像表示装置は、画像信号を入力して画像表示する画像表示装置であって、解像度またはフレームレートを変換する解像度変換手段と、第１の情報処理装置と接続された第１の画像入力手段と第２の情報処理装置と接続された第２の画像入力手段とから入力される画像信号を切換えて出力する第１の切換え手段と、前記解像度変換手段からの画像信号または前記解像度変換手段を経由しない画像信号を入力して切り換えて出力する第２の切換え手段と、前記第２の切換え手段を経由して前記解像度変換手段から出力された画像信号と、前記解像度変換手段を経由しない画像信号とを合成する画像合成手段と、前記合成された画像信号を表示する画像表示手段と、前記第１の情報処理装置から出力された画像信号が前記画像表示手段の解像度及びフレームレートに一致しない場合においては、前記第１の情報処理装置から出力された画像信号に対して前記解像度変換手段を適応させ、前記画像表示手段において画像表示し、前記第１の情報処理装置から出力された画像信号が前記画像表示手段の解像度及びフレームレートに一致する場合においては、前記第２の情報処理装置から出力された画像信号に対して前記解像度変換手段を適応させ、前記第１の情報処理装置から出力された画像信号の画像と前記第２の情報処理装置から出力された画像信号の画像とを選択的に前記画像表示手段において画像表示するように制御する制御手段とを有することを特徴とする。
また、本発明の画像表示装置の他の特徴とするところは、画像信号を入力して画像表示する画像表示装置であって、解像度またはフレームレートを変換する解像度変換手段と、第１の情報処理装置と接続された第１の画像入力手段と第２の情報処理装置と接続された第２の画像入力手段とから入力される画像信号を切換えて出力する第１の切換え手段と、前記解像度変換手段からの画像信号または前記解像度変換手段を経由しない画像信号を入力して切り換えて出力する第２の切換え手段と、前記第２の切換え手段を経由して前記解像度変換手段から出力された画像信号と、前記解像度変換手段を経由しない画像信号とを合成する画像合成手段と、前記合成された画像信号を表示する画像表示手段と、前記第１の情報処理装置から出力された画像信号が前記画像表示手段の解像度及びフレームレートに一致しない場合においては、前記第１の情報処理装置から出力された画像信号に対して前記解像度変換手段を適応させ、前記画像表示手段において画像表示し、前記第１の情報処理装置から出力された画像信号が前記画像表示手段の解像度及びフレームレートに一致する場合においては、前記第２の情報処理装置から出力された画像信号に対して前記解像度変換手段を適応させ、前記画像表示手段における画面内の表示領域を分割して画像表示するように制御する制御手段とを有することを特徴とする。
また、本発明の画像表示装置のその他の特徴とするところは、画像信号を入力して画像表示する画像表示装置であって、解像度またはフレームレートを変換する解像度変換手段と、第１の情報処理装置と接続された第１の画像入力手段と第２の情報処理装置と接続された第２の画像入力手段とから入力される画像信号を切換えて出力する第１の切換え手段と、前記解像度変換手段からの画像信号または前記解像度変換手段を経由しない画像信号を入力して切り換えて出力する第２の切換え手段と、前記第２の切換え手段を経由して前記解像度変換手段から出力された画像信号と、前記解像度変換手段を経由しない画像信号とを合成する画像合成手段と、表示パネルと前記表示パネルを駆動する水平シフトレジスタ手段、及び垂直シフトレジスタ手段と、前記水平シフトレジスタ手段、及び垂直シフトレジスタ手段にタイミングパルスを供給するタイミング発生回路と画像処理回路とを備えるとともに、前記合成された画像信号を表示する画像表示手段と、前記第１の情報処理装置から出力された画像信号の解像度が前記表示パネルの解像度と同じまたは小さいときは、前記第１の情報処理装置から出力された画像信号の画像を前記解像度変換手段を介さずに前記画像表示手段において画像表示し、前記第２の情報処理装置から出力された画像信号について前記第１の情報処理装置の同期するタイミングで解像度及びフレームレートを前記解像度変換手段により変換して、前記第１の情報処理装置から出力された画像信号の画像と前記第２の情報処理装置から出力された画像信号の画像とを選択的に前記画像表示手段において画像表示するように制御する制御手段とを有することを特徴とする。
また、本発明の画像表示装置のその他の特徴とするところは、画像信号を入力して画像表示する画像表示装置であって、解像度またはフレームレートを変換する解像度変換手段と、第１の情報処理装置と接続された第１の画像入力手段と第２の情報処理装置と接続された第２の画像入力手段から入力される画像信号を切換えて出力する第１の切換え手段と、前記解像度変換手段からの画像信号または前記解像度変換手段を経由しない画像信号を入力して切り換えて出力する第２の切換え手段と、前記第２の切換え手段を経由して前記解像度変換手段から出力された画像信号と、前記解像度変換手段を経由しない画像信号とを合成する画像合成手段と、表示パネルと前記表示パネルを駆動する水平シフトレジスタ手段、及び垂直シフトレジスタ手段と、前記水平シフトレジスタ手段、及び垂直シフトレジスタ手段にタイミングパルスを供給するタイミング発生回路と画像処理回路とを備えるとともに、前記合成された画像信号を表示する画像表示手段と、前記第１の情報処理装置から出力された画像信号の解像度が前記表示パネルの解像度と同じまたは小さいときは、前記第１の情報処理装置から出力された画像信号の画像を前記解像度変換手段を介さずに前記画像表示手段において画像表示し、前記第２の情報処理装置から出力された画像信号について前記第１の情報処理装置の同期するタイミングで解像度及びフレームレートを前記解像度変換手段により変換して、前記画像表示手段における画面内の表示領域を分割して画像表示するように制御する制御手段とを有することを特徴とする。
【発明の効果】
【００１０】
本発明によれば、解像度及びフレームレートに一致しない場合においては、解像度変換手段を適応させて画像表示し、解像度及びフレームレートに一致する場合においては、２つの画像を画像表示するように制御するようにした。これにより、複数のＰＣからの複数の画像信号を画像表示装置に入力して、解像度変換手段を増加させること無く、複数画面表示を提供できる。
【発明を実施するための最良の形態】
【００１１】
（第１の実施形態）
以下、本発明の実施形態について、図面を参照しながら説明する。
図１は、本実施形態の画像表示装置における画像処理部の機能構成例を示すブロック図である。
図１において、１は第１の情報処理装置（以下、第１のＰＣ）であり、２は第２の情報処理装置（以下、第２のＰＣ）である。３は画像処理部であり、４は第１の画像入力端子であり、５は第２の画像入力端子である。６は第１のＰＣ１から入力される画像信号と第２のＰＣ２から入力される画像信号とを切換える第１の切換え回路である。
【００１２】
７は画像の解像度及びフレームレートを変換する解像度変換回路であり、８は解像度変換回路７からの画像信号と解像度変換回路７を通らない画像信号とを切換える第２の切換え回路である。９は第２の切換え回路８からの２つの画像信号を２画面合成する画像合成部である。
【００１３】
１０は画像合成部９で合成された画像信号を表示する表示デバイスを含む表示部であり、１１は第１の解像度判定回路であり、１２は第２の解像度判定回路である。１３はマイクロコンピュータ（ＭＣＵ）であり、１４はＯＳＤ発生回路である。１５は第１の切換え回路６の出力と第２の切換え回路８の入力とを解像度変換回路７を通さずに接続する接続手段である。
【００１４】
図２は、図１に示すブロック構成からなる画像処理部３及び表示部１０を備えた画像表示装置１００に、第１のＰＣ１と第２のＰＣ２とが接続されている構成図である。
図２において、第１の情報処理装置である第１のＰＣ１は画像表示装置１００の内部或いは近くに設置される会議用のマスターＰＣである。第１のＰＣ１から出力される画像信号は、画像処理部３において適宜信号処理され、表示部１０において画像表示される。
【００１５】
表示部１０においては、リアプロジェクションを用いる場合は、スクリーンを配して、スクリーンの背面より適宜ミラーやレンズ等を使用する。例えば液晶表示パネル等のマイクロデバイスに照明光を照射して該透過画像或いは反射画像を投影レンズを用いて投射する。この場合液晶パネルにはパネル特有の信号駆動を行い表示する。また、表示部１０がプラズマディスプレイパネルである場合は、直接表示パネルを配して、パネル特有の信号駆動を行い表示する。
【００１６】
図２に示すように、画像表示装置１００にはノートＰＣなどの会議参加者が携えたゲストＰＣ（第２のＰＣ２）を第２の情報処理装置として第２の画像信号入力端子５に接続して、同様に画像処理部３を介して表示部１０に表示する。
【００１７】
次に、その構成と動作に関して以下に詳しく述べる。まず、図１に示すブロック図を参照しながら説明する。
図１において、第１のＰＣ１より出力される画像信号は、第１の画像信号入力端子４に入力される。この画像信号は本実施形態においては、少なくとも赤色信号（以下、Ｒ）、緑色信号（以下、Ｇ）、及び青色信号（以下、Ｂ）の三原色信号と、水平同期信号と、垂直同期信号とからなり、アナログ信号で供給される。一方、ＤＶＩ規格（ＤＤＷＧ）に基づいたＴＭＤＦデジタル信号などのデジタル信号で供給されてもよい。
【００１８】
本実施形態においては特に図示しないが、アナログ信号の場合は第１の切換え回路６の前段若しくは後段にＡＤコンバータを接続してデジタル化する。ＴＭＤＦデジタル信号の場合はデコーダーをＡＤコンバータの変わりに設ける。
【００１９】
一方、第２のＰＣ２から出力される画像信号は、第２の画像信号入力端子５に入力される。第２のＰＣ２からの画像信号に関しても同様に、第１の切換え回路６の前段若しくは後段においてＡＤコンバータが接続され、デジタル化される。デジタル信号として例えばＴＭＤＦ等による供給の場合は、デコーダーがＡＤコンバータの変わりに使用される。
【００２０】
第１のＰＣ１及び第２のＰＣ２からの画像信号は第１の切換え回路６において、図３のフローチャートに示されるような処理手順で、マイクロコンピュータ１３により制御されて切換えを行う。なお、フローチャート中、マスターは第１のＰＣ１を指し、ゲストは第２のＰＣ２を指す。
【００２１】
まず、第１の解像度判定回路１１において、４の画像信号入力端子４に対して入力信号の有無を判別する（ステップＳ１）。この判別の結果、入力信号がある場合は、第１の解像度判定回路１１は、第１のＰＣ１からの画像信号に付随した同期信号から、垂直同期信号の周期によりフレームレートを求め、また水平同期信号の周期により水平走査周波数を求める。そして、これらの測定結果によって、マイクロコンピュータ１３において双方の相関を判別して画像信号の水平画素数及び垂直画素数を判定する（ステップＳ２）。なお、垂直同期の周期や水平同期の周期等は、マイクロコンピュータ１３において、ソフトウェア処理され計測判定をしてもよい。
【００２２】
また、第１の解像度判定回路１１から出力される水平同期信号を元に、図示しないがＰＬＬ（フェーズロックドループ）回路により画像処理クロックを発生して、前記ＡＤコンバータ及び解像度変換回路等に供給しクロックとして使用する。
【００２３】
同様に第２のＰＣ２からの画像信号に関しても、第２の解像度判定回路１２において、解像度を判別して、マイクロコンピュータ１３に供給する（ステップＳ７、Ｓ２１）。第１のＰＣ１の画像信号として最終的に表示する解像度を、表示部１０の実表示画素数に一致するように、前記第１のＰＣ１において設定を予め行っておく。このような場合、例えば、第１のＰＣ１の電源を投入した場合、一般的なＤＯＳＶ系のＰＣでありオペレーティングシステム（以下ＯＳ）としてＷＩＮＤＯＷＳ（登録商標）２０００などを使用していれば、先ずＰＣの最初に表示する画面は４６０×３５０画素又は４６０×４００である。そして、次に６４０×４８０になり、そして最終的には表示部１０の実表示画素数、つまり本実施形態においてはＸＧＡ（１０２４×７６８）になる。
【００２４】
［マスター画像に対して解像度変換を行う処理］
この３つの状態において、マイクロコンピュータ１３は、第１の解像度判定回路１１からの測定データを比較する（ステップＳ３）。この比較の結果、前記ＸＧＡ以外の解像度の場合、第１の切換え回路６は、第１の画像信号入力端子４からの画像信号を解像度変換回路７に供給する（ステップＳ１２）。解像度変換回路７においては、第１のＰＣ１からの画像信号を１３のマイクロコンピュータからの制御に基づき解像度変換を行う。
【００２５】
そして、第２の切換え回路８を介して画像合成部９を通って表示部１０にＸＧＡ画像（１０２４×７６８）として表示する（ステップＳ１３〜Ｓ１６）。次に、第２のＰＣ２の画像出力が接続された画像信号入力端子５の画像入力があるかどうかを第２の解像度判定回路１２において判定する（ステップＳ１７）。この判定の結果、画像入力がある場合は、その結果をＯＳＤ発生回路１４より画面表示する（ステップＳ１８）。
【００２６】
［ゲスト画像に対して解像度変換を行う処理］
次に、第１のＰＣ１の出力画像の解像度が、前記ＸＧＡ（１０２４×７６８）になった場合（ステップＳ３／ＹＥＳ）について説明する。マイクロコンピュータ１３からの制御により、第１の切換え回路６を切換え、第１のＰＣ１からの画像信号を接続手段１５を介して第２の切換え回路８に供給する（ステップＳ４）。そして、第２の切換え回路８を経由した第１のＰＣ１の画像信号を、画像合成部９にてタイミング処理を行い、表示部１０に出力表示する（ステップＳ５）。
【００２７】
次に、第２のＰＣ２（ゲストＰＣ）の入力の判定を行う（ステップＳ６）。この判定の結果、ＮＯであれば、ＯＳＤ発生回路１４により入力信号の状態のキャラクタを発生し画像表示する（ステップＳ２６）。
【００２８】
一方、ステップＳ６の判定の結果、ＹＥＳであれば、第２のＰＣ２（ゲスト入力）の解像度の測定を解像度判定回路１２とマイクロコンピュータ１３により行う（ステップＳ７）。そして、第２のＰＣ２からの画像信号を第１の切換え回路６により選択し、解像度変換回路７に入力する（ステップＳ８）。
【００２９】
そして、解像度変換回路７の制御を行う（ステップＳ９）。これにより、解像度変換回路７によって最適解像度変換がなされる。この場合、第２のＰＣからの画像信号を、ＸＧＡ（１０２４×７６８）に変換する。次に、その解像度変換回路７の出力信号を、第２の切換え回路８に供給する。そして、第２の切換え回路８において選択出力して画像合成部９に供給し、画像合成部９でのタイミング処理により、１０の表示部に第１のＰＣ１（マスターＰＣ）の画像と切換えで表示する（ステップＳ１０）。
【００３０】
図４はその画面合成の例である。画像合成部９において、前記２つの画像信号を、例えば図４の（ｃ−１）、（ｃ−２）に示すように、ワイプ操作により第１のＰＣ１の画像と、第２のＰＣ２の画像との実解像度で表示部１０における画面分割出力表示が可能となる。
【００３１】
図４の（ｃ−１）の場合は水平方向でのスイッチングで可能となり、その場合の画像信号切換えタイミングチャートの例を図５−１、図５−２に示す。図５−１、図５−２においては水平期間において画像の切換えを行うが、垂直期間において切換えを行えば画面の上下において第１のＰＣ１の画像と第２のＰＣ２の画像とをワイプ表示可能となる。その場合の画面の例を図４の（ｃ−２）に示す。
【００３２】
また、水平期間及び垂直期間の双方において同様の画像の切換えを行うことにより画面内の４分割でのワイプ画像選択が可能である。その場合の画像表示の例を図４の（ｄ−１）、（ｄ−２）、（ｄ−３）、（ｄ−４）に示す。さらに、代表的にそのタイミングチャートを（ｄ−１）に関して図５−２に示す。
【００３３】
図５−２において垂直期間の前半つまり画像の上１／２においては、その水平期間中、常に第１のＰＣ１の画像を選択出力する。そして、垂直期間の後半つまり画像の下１／２においては、水平期間の前半を第１のＰＣ１の画像を選択出力し、後半を第２のＰＣ２の画像を選択出力する。なお、その他タイミングのバリエーションでさらに様々な選択が可能である。
【００３４】
また、垂直期間或いは水平期間において画像信号の切換えを行わず、第１のＰＣ１の画像又は第２のＰＣ２の画像何れかのみを選択出力する場合は、図４の（ａ）、（ｂ）のように第１のＰＣ１の画像、または第２のＰＣ２の画像のみが表示される。
【００３５】
次に、解像度変換回路７において、その出力解像度をＸＧＡ（１０２４×７６８）に対して、水平垂直それぞれ縮小して、例えば（４１２×３８４）画素の画面として出力した場合は、図４の（ｅ）のような子画面表示が可能となる。また、図４の（ｆ）のように第２のＰＣ２からの画像を拡大して表示することもできる。以上のように、様々な画像合成が可能である。また、以上の画面の切換えタイミングを水平及び垂直期間のなかで変えることにより、画像切換えサイズを変えることも可能である。
【００３６】
次に、図１に示されるＯＳＤ発生回路１４により入力信号の状態のキャラクタを発生し画像表示する（ステップＳ１１）。
【００３７】
［マスター入力もゲスト入力も無い場合］
一方、ステップＳ１の判定の結果、マスターＰＣからの入力が無い場合、ステップＳ１９〜Ｓ２７に示すように、第２の解像度判定回路１２においてゲスト入力の有無判定を行う（ステップＳ１９）。この判定の結果、入力が確認されない場合は、マイクロコンピュータ１３によりＯＳＤ発生回路１４を制御して「入力無し」のＯＳＤ表示を表示部１０の画面に表示する（ステップＳ２７）。
【００３８】
［マスター入力が無くゲスト入力がある場合］
一方、ステップＳ１９の判定の結果、ゲストＰＣからの入力が有る場合は、ステップＳ２０に示すように、第１の切換え回路６により第２のＰＣ２の画像信号を解像度変換回路７に入力する。
【００３９】
次に、フレームレート及び解像度を第２の解像度判定回路１２及びマイクロコンピュータ１３により測定及び判定し（ステップＳ２１）、解像度変換回路７の最適制御を行う（ステップＳ２２）。
【００４０】
次に、解像度変換回路７の出力を第２の切換え回路８において選択し（ステップＳ２３）、画像合成部９を介して表示部１０の画面に第２のＰＣ２の画像が解像度変換され最適解像度で表示する（ステップＳ２４）。次に、ＯＳＤ発生回路１４により第２のＰＣ２「ゲストＰＣ入力あり」の表示を行う（ステップＳ２５）。
【００４１】
以上のように、本実施形態においては、第１のＰＣ１及び第２のＰＣ２の画像信号を同時に画像表示装置１００に接続する。そして、第１のＰＣ１が電源投入時から最終的な表示画素数に到達するまでの表示部１０の実解像度に一致しない期間において、解像度変換回路７を第１のＰＣ１の画像信号に適応させる。そして、表示部１０において表示し、第１のＰＣ１が予め設定された表示部１０の実解像度に到達した場合において、解像度変換回路７を、第２のＰＣ２の画像信号に適応させる。これにより、解像度変換回路を増加させることなく、第１のＰＣ１の画像を表示部１０に実解像度で表示させつつ、第２のＰＣ２の画像をワイプ表示させたり、ピクチャーオンピクチャー表示させたりして、第２のＰＣ２の画像サイズを変更できる。
【００４２】
（第２の実施形態）
本実施形態においては、マスターＰＣからの画像信号を解像度変換回路を通さずに液晶表示パネルの水平シフトレジスタと垂直シフトレジスタとの制御画素のアドレスを切り換える。これにより、マスターＰＣから出力される画像信号の解像度に対応し、ゲストＰＣの画像信号に対して、解像度変換回路により最適解像度に変換及びフレームレート変換を行う。そして、そのままゲストＰＣの画像を表示し、マスター画像の中に子画面表示させる。
【００４３】
図６は、本実施形態の画像表示装置における画像処理部の機能構成例を示すブロック図である。なお、図１に示す構成と同じものについては同一の番号を付している。表示部１０は、以下のブロックより構成される。
１０１は画像処理回路であり、１０２は表示部１０のタイミング発生回路である。１０３は垂直シフトレジスタであり、１０４は水平シフトレジスタであり、１０５は表示パネルである。本実施形態においては、表示パネル１０５はリアプロジェクション装置のＴＦＴ液晶パネルとする。以下、その動作説明を行う。
【００４４】
図６において、第１のＰＣ１（マスターＰＣ）は、第１の実施形態の第１のＰＣ１と同様に、表示部１０に内蔵あるいは隣接して設置されて使用される。予め表示パネル１０５の画素配列（表示画素数）に一致した出力解像度を、第１のＰＣ１に設けられた画像発生回路（グラフィックスアクセラレータ）より出力するように、第１のＰＣ１のアプリケーションソフトウェアにて初期設定を行っておくものとする。本実施形態においては、表示パネル１０５はＸＧＡ（１０２４×７６８）であり、その値に設定しておく。
【００４５】
また、マスターＰＣの画像信号は画像信号入力端子４を介して入力され、画像合成部９に入力される。画像合成部９は本実施形態においてはデジタル回路として作動するため、第１のＰＣ１の画像信号がアナログの画像信号の場合は、前段にＡＤコンバータを設けアナログデジタル変換を行ってから入力する。
【００４６】
次に、画像合成部９からの出力信号は、画像処理回路１０１において、表示画像の動作機能や画質、性能を維持するための画像処理を行う。具体的には、例えばガンマ補正、表示階調の補正、明るさやコントラスト、色調補正、液晶パネル特有のラインやフレームごとの極性反転等の処理、及びデジタルアナログ（ＤＡ）変換処理を行う。
【００４７】
次に、画像処理回路１０１から出力された画像信号は表示パネル１０５の画像信号ラインに供給される。一方、第１の画像信号入力端子４に入力された画像信号の同期信号に関しては、第１の解像度判定回路１１により同期信号の計測を行い、マイクロコンピュータ１３により解像度及びフレームレートを導き出す。
【００４８】
さらに、第１の画像信号入力端子から入力された同期信号は、タイミング発生回路１０２に入力される。そして、水平同期信号に同期したクロック信号、ラインパルス信号、水平タイミングパルス信号、及び垂直タイミングパルス信号を発生し、水平シフトレジスタ１０４と垂直シフトレジスタ１０３とに入力される。また、同時にタイミング発生回路１０２より解像度変換回路７に対して同期の基準信号を供給する。
【００４９】
一方、本実施形態において、表示パネル１０５は、透過型ＴＦＴ液晶パネルとして、複数の表示画素が水平方向に１０２４画素、垂直方向に７６８画素の二次元配列構成を成す。次に、垂直シフトレジスタ１０３により１番目のラインから７６８番目のラインまでの画像信号ラインの切換えを行う。これとともに、水平シフトレジスタ１０４により１番目の画素から１０２４番目の画素対して順次画像信号ラインの画像信号を各画素にスイッチングして供給する。
【００５０】
次にその動作を詳しく説明する。図７は、ＴＦＴ液晶パネルの特定の画素部分に関して表した回路モデルを示す図である。
水平方向には画素がＥ１：１、Ｅ２：１、Ｅ３：１の順にＥ１０２４：１まで配列されている。それぞれの画素は各々対応して設けられた画素ＳＷトランジスタＱ１：１、Ｑ２：１、Ｑ３：１の順にＱ１０２４：１まで配列され第１の信号ラインで示されたライン画像信号を順次切換えて各々の対応画素に書き込みを行う。
【００５１】
同様に、画素Ｅ１：２、Ｅ２：２、Ｅ３：２の順にＥ１０２４：２まで、また、前記ライン同様にそれぞれの画素は各々対応して設けられた画素ＳＷトランジスタＱ１：２、Ｑ２：２、Ｑ３：２の順にＱ１０２４：２まで配列されている。そして、第２の信号ラインで示されたライン画像信号を順次切換えて前記各々の対応画素に書き込みを行う。同様に、第２の信号ライン２〜第７６８の信号ラインまでそれぞれのラインの画像信号をそれぞれのラインに接続された画素ＳＷトランジスタにより、それぞれ対応した画素ＥＸ：Ｘに画素に対応したビデオ信号を書き込む。
【００５２】
一方、第１〜第７６８の信号ラインは、信号ラインＳＷトランジスタＬＳＱ１からＬＳＱ７６８によりビデオ信号入力からのビデオ信号を水平走査線単位で各ＳＷトランジスタのゲートを第１〜第７６８のライン駆動ゲート線１〜７６８へ供給する。そして、垂直シフトレジスタ１０３により駆動して順次水平走査線単位でスイッチングして各第１〜第７６８の信号ラインに供給する。この場合の画素スイッチングを制御する水平シフトレジスタの動作タイミングを図８−１に示す。同様に垂直シフトレジスタの動作タイミングを図８−２に示す。
【００５３】
なお、各画素は対向基板である共通電極に接続され最適電圧が印加される。そして、各画素と共通電極との間に、例えばＴＮ液晶などを挟持して偏光板などを通過した偏光光を照射して各画素における印加画像信号に対応して偏光透過された透過画像を、偏光板を介して画像表示する。なお、ＴＦＴ液晶パネルの一般的な動作に関しては説明を省略する。以上のように、第１のＰＣ１の画像信号であるＸＧＡ（１０２４×７６８）が表示パネル１０５に表示可能となる。
【００５４】
［ＥＧＡの表示］
次に、第１のＰＣ１が電源投入から最初のＥＧＡ画像（６４０×４００又は６４０×３５０）の表示を行う場合において、第１の解像度判定回路１１にて計測された画像信号を元に、マイクロコンピュータ１３の制御により判定を行う。そして、タイミング発生回路１０２の動作を切り換える。タイミング発生回路１０２に別途入力される水平同期信号及び垂直同期信号に同期したクロック信号、水平イネーブル信号が、水平シフトレジスタ１０４に供給され、水平パルス、垂直スタートパルス信号が垂直シフトレジスタ１０３に供給される。
【００５５】
一方、画像信号は前述のように、画像処理回路１０１を介して表示パネル１０５の画像信号ラインに供給される。前記ＸＧＡ（１０２４×７６８）とは異なり、例えば水平シフトレジスタ１０４は水平方向に６４０クロック分の画素シフトを行いながら各画素に書き込みを行う。同様に、垂直方向には垂直シフトレジスタ１０３により４００ラインのライン選択を順次行い画像信号を画素トランジスタに供給する。以上により、表示パネル１０５には上側左寄りの画像表示となる。図９（ａ）にそのイメージを示す。
【００５６】
［中央部へのＥＧＡの表示］
シフトレジスタの構成は、図１０（ａ）で示されるように任意の数の単位でブロック分けされたシフトレジスタの（集合）つまりブロックより構成される。各シフトレジスタブロックの該小単位のシフトレジスタとして本実施形態は、図１０（ｂ）に示すように最小単位を２０個のフリップフロップの集合としている。各々のシフトレジスタブロック単位の初段入力には、セレクタ信号（ＳＥＬ）をパラレルデータのデコーダー出力（図１０（ａ）のＤＥＣＯＤＥＲ）より制御することにより、水平スタートパルスを「Ｓ＿ＩＮＰＵＴ」に入力する。
【００５７】
具体的には、図１０（ａ）の「Ｓ＿ＩＮＰＵＴ」に水平スタートパルスを入力し、後段の、１０ブロック目のシフトレジスター（ＳＲＢ１０）にスタートパルスを入力する。
また、マイクロコンピュータ１３にて図１０（ａ）の「ＤＥＣＯＤＥＲ＿ＩＣ」の入力ＳＥＬＥＣＴ＿ＤＡＴＡを制御して行う。「ＤＥＣＯＤＥＲ＿ＩＣ」はパラレルシリアル変換回路であり、特定の出力線に対して能動とする。
【００５８】
よって、図１０（ａ）に示される「Ｓ＿ＩＮＰＵＴ」への水平スタートパルスは、ＳＲＢ１０に入力され、該ＳＲＢ１０の出力Ｑ１〜Ｑ２０までの画素選択信号がクロックで順次出力され前記パネルの画素トランジスタ１８１から順次スイッチングをおこなう。表示パネル１０５の水平方向の１８１画素目より画像の表示を行い、８２０画素までの表示が行われる。
【００５９】
また、垂直シフトレジスタ１０３に関しても、フィリップフロップ２０個単位のブロックをシリアルに接続して、該ブロックの入力に対してデータセレクタにより前段からの入力と直接外部よりのスタートパルスの入力とを選択的に入力可能とする。そして、マイクロコンピュータ１３の制御により切り換えられる。なお、本実施形態では８ブロック目のシフトレジスタにスタートパルスを入力する。ラインの選択は１４０ラインから５４０ラインまで行われ、ほぼ画面中央に位置した６４０×４００ドットのＥＧＡ画面が表示可能となる。図９（ｂ）にそのイメージを示す。
【００６０】
同様に、ＰＣのアプリケーションの立ち上がり状況により最適なタイミング選定をマイクロコンピュータ１３より行い、最も適した表示位置の制御を行う。最終的には、前述のように第１のＰＣ１のウィンドウズ（登録商標）アプリケーションが立ち上がった状態においては、本実施形態ではＸＧＡ（１０２４×７６８）の画像表示モードになり、全画面に表示する。この場合の表示パネル１０５に表示される画像のフレームレートは、第１のＰＣ１から出力された画像信号のフレームレートと同じである。
【００６１】
以上のように、第２のＰＣ２（ゲストＰＣ）からの、第２の画像信号入力端子５を介して入力された画像信号は、解像度変換回路７によりフレームレートを第１のＰＣ１からの画像信号に一致させ、かつ解像度を指定して変換する。これにより、解像度変換回路手段が一つで済み、例えば図４の（ａ）、（ｂ）、（ｃ）、（ｄ）、（ｅ）、（ｆ）に示されるように第１のＰＣ１の画像と第２のＰＣ２の画像とが共存可能となる。
【００６２】
以上のように、本実施形態においては、第１のＰＣ１から出力される画像信号が表示部１０の実解像度より少ない場合において、表示部１０の表示タイミングを適宜操作することにより、表示部１０の表示領域内の特定の位置に表示を行う。さらに、第２のＰＣ２から入力された画像信号を第１のＰＣ１に同期して出力される解像度変換を行うことにより、解像度変換回路を増加させることなく、第１のＰＣ１の画像と共に第２のＰＣ２の画像を表示可能にする。
【００６３】
（本発明に係る他の実施形態）
前述した本発明の実施形態における画像表示装置を構成する各手段、並びに画像表示方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００６４】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００６５】
なお、本発明は、前述した実施形態の機能を実現するソフトウェアのプログラム（実施形態では図３に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００６６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６７】
その場合、プログラムの機能を有していれば、オブジェクトコード、インタプリタにより実行されるプログラム、ＯＳに供給するスクリプトデータ等の形態であってもよい。
【００６８】
プログラムを供給するための記録媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００６９】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００７０】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７１】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００７２】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００７３】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００７４】
【図１】本発明の第１の実施形態の画像表示装置における画像処理部の機能構成例を示すブロック図である。
【図２】本発明の第１の実施形態の画像表示装置に、第１のＰＣと第２のＰＣとが接続されている構成例を示す図である。
【図３】本発明の第１の実施形態における画像表示装置による処理手順の一例を示すフローチャートである。
【図４】本発明の第１の実施形態における表示画像例を示す図である。
【図５−１】本発明の第１の実施形態における画像表示の処理を示すタイミングチャートである。
【図５−２】本発明の第１の実施形態における画像表示の処理を示すタイミングチャートである。
【図６】本発明の第２の実施形態の画像表示装置における画像処理部の機能構成例を示すブロック図である。
【図７】本発明の第２の実施形態における表示パネルの詳細な構造を示す図である。
【図８−１】本発明の第２の実施形態における水平シフトレジスタの動作を示すタイミングチャートである。
【図８−２】本発明の第２の実施形態における垂直シフトレジスタの動作を示すタイミングチャートである。
【図９】本発明の第２の実施形態における表示画面例を示す図である。
【図１０】本発明の第２の実施形態における水平シフトレジスタ及び垂直シフトレジスタの詳細な構成を示す図である。
【図１１】従来の画像表示装置における画像処理部の機能構成例を示すブロック図である。
【符号の説明】
【００７５】
１  第１のＰＣ
２  第２のＰＣ
３  画像処理部
４  第１の画像信号入力端子
５  第２の画像信号入力端子
６  第１の切換え回路
７  解像度変換回路
８  第２の切換え回路
９  画像合成部
１０  表示部
１１  第１の解像度判定回路
１２  第２の解像度判定回路
１３  マイクロコンピュータ
１４  ＯＳＤ発生回路
１５  接続手段
１００  画像表示装置
【図１】
2008205641.tif 000003
【図２】
2008205641.tif 000004
【図３】
2008205641.tif 000005
【図４】
2008205641.tif 000006
【図５−１】
2008205641.tif 000007
【図５−２】
2008205641.tif 000008
【図６】
2008205641.tif 000009
【図７】
2008205641.tif 000010
【図８−１】
2008205641.tif 000011
【図８−２】
2008205641.tif 000012
【図９】
2008205641.tif 000013
【図１０】
2008205641.tif 000014
【図１１】
2008205641.tif 000015